(57)【要約】【課題】建物に作り付けされる収納家具やシステムキッチンなど、各種の邸付帯設備及びその後付け部品の発注に便利な管理システムを提供する。【解決手段】邸データベース７は、邸ＩＤを含む邸情報、付帯設備情報、及び邸使用ユーザー情報を含み、ユーザーデータベース８は、ユーザーＩＤを含むユーザー情報と使用邸情報を含み、オンライン受発注システムは、インターネット２上のユーザー発注サイト（ウエブサーバー１）において邸使用ユーザーがユーザーＩＤを入力することにより、一致する使用邸情報に基づき邸データベース７から検索されたユーザー使用邸の付帯設備の後付け部品情報が表示され、この表示画面から後付け部品を選定して発注入力することにより、ユーザーＩＤなどと発注内容情報が受注事業者へ伝送され、発注内容情報に基づき邸データベース７の該当する付帯設備情報が更新される構成。【選択図】図１
2005173786.tif 000002
【特許請求の範囲】
【請求項１】
邸データベースとユーザーデータベース、及び邸付帯設備のための後付け部品のオンライン受発注システムを使用する邸付帯設備の管理システムであって、邸データベースは、邸識別番号を含む邸情報、付帯設備情報、及び邸使用ユーザー情報を含み、ユーザーデータベースは、ユーザー識別番号を含むユーザー情報と使用邸情報を含み、オンライン受発注システムは、前記後付け部品の発注のためのインターネット上のユーザー発注サイトを使用するもので、当該ユーザー発注サイトにおいて邸使用ユーザーがユーザー識別番号を入力することにより、当該ユーザー識別番号と一致する使用邸情報に基づき邸データベースから検索されたユーザー使用邸の付帯設備のための後付け部品情報が表示され、この後付け部品情報表示画面から後付け部品を選定して発注入力することにより、ユーザー情報と邸情報の内の少なくとも一方、及び発注内容情報が受注事業者へ伝送され、発注内容情報に基づき邸データベースの該当する付帯設備情報が更新されるように構成された、邸付帯設備の管理システム。
【請求項２】
邸に対する付帯設備の施工を行うプロユーザーの管理のためのプロユーザーデータベースが併用され、当該プロユーザーデータベースは、プロユーザー識別番号を含むプロユーザー情報と施工対象邸情報とを含み、オンライン受発注システムは、付帯設備の発注のためのインターネット上のプロユーザー発注サイトを使用するもので、当該プロユーザー発注サイトにおいてプロユーザーがプロユーザー識別番号と施工対象邸の邸識別番号を入力することにより発注のための付帯設備情報が表示され、この付帯設備情報表示画面から付帯設備を選定して発注入力することにより、プロユーザー情報、邸情報と邸使用ユーザー情報との内の少なくとも一方、及び発注内容情報が受注事業者へ伝送され、発注内容情報に基づき邸データベースの付帯設備情報が更新されるように構成された、請求項１に記載の邸付帯設備の管理システム。
【請求項３】
邸データベースの邸識別番号を含む邸情報と付帯設備情報は、最初に付帯設備が設置された邸に対して設定され、新規の邸使用ユーザーがユーザー登録するためのインターネット上のユーザー登録サイトが使用され、当該ユーザー登録サイトにおいて、新規の邸使用ユーザーがユーザー情報と共に邸識別番号を入力することにより、ユーザーデータベースに新規の邸使用ユーザーとして登録されるように構成した、請求項１または２に記載の邸付帯設備の管理システム。
【請求項４】
新規の邸使用ユーザーが邸識別番号を除く使用邸の情報に基づいて邸識別番号を問い合わせる邸識別番号問い合わせ回答システムが併用される、請求項３に記載の邸付帯設備の管理システム。
【請求項５】
前記オンライン受発注システムにおいて、邸付帯設備の後付け部品以外の商品で邸使用ユーザーが引っ越しに際して移動させることができるユーザー付帯商品が取り扱われる場合、当該ユーザー付帯商品の発注内容情報が前記ユーザーデータベースに加えられるようにした、請求項１〜４の何れかに記載の邸付帯設備の管理システム。
【発明の詳細な説明】
【技術分野】
【０００１】
本発明は、建物に作り付けされる収納家具やシステムキッチンなど、各種の邸付帯設備の管理システムに関するものである。
【背景技術】
【０００２】
邸（戸建住宅の他、マンションなどの共同住宅を含む）の新築時やリフォーム時には、収納家具やシステムキッチンなどのメーカー製付帯設備の設置工事が専門業者によって行われるが、このようなメーカー製の作り付け付帯設備には、例えば棚板、引出し、バスケット、各種吊り具など、ユーザー（邸使用者）が後から自由に追加注文することができる後付け部品（オプション品）が準備されている場合が多い。このような邸付帯設備の後付け部品をユーザーが利用しようとする場合、ユーザー自身が邸付帯設備のメーカーや販売・設置事業者などに対し電話などにより邸付帯設備の型番などを知らせ、後付け部品のカタログなどを取り寄せるなどして使用できる後付け部品を選定し、あらためて後付け部品の発注を行わなければならない。邸付帯設備のメーカーや販売・設置事業者は、後付け部品の受注に基づき、後付け部品の発注者であるユーザーごとの住所氏名などの個人情報と購入された後付け部品などの取引履歴情報からなる顧客データベースを作成し、以後の営業活動などに活かすことが行われている。
【０００３】
勿論、近年は付帯設備のメーカーや販売・設置事業者がインターネット上にウエブサイトを開設しており、このウエブサイトにユーザーがアクセスすることにより、業者の取り扱い商品の一覧を閲覧し、使用できる後付け部品を選定してウエブサイト上から発注できるシステムも知られている。このシステムにおいても、邸付帯設備のメーカーや販売・設置事業者は、上記と同様の顧客データベースを作成し、以後の営業活動などに活かすことが行われているに過ぎない。
【発明の開示】
【発明が解決しようとする課題】
【０００４】
上記のように、邸付帯設備のメーカーや販売・設置事業者が構築する従来の邸付帯設備の管理システムは、ユーザーごとの住所氏名などの個人情報と購入された後付け部品などの取引履歴情報からなる顧客データベースを利用するシステムであって、邸付帯設備そのものを管理するために構築されたものではなかった。即ち、建物に作り付けされる収納家具やシステムキッチンなどの邸付帯設備は、一般的な商品とは異なり、邸の使用者が変わってもそのまま邸と一体に残っているものであり、その邸付帯設備に専用の後付け部品も次の新しい邸使用者が継続して使用することになる。このような後付け部品を含む邸付帯設備の管理をユーザーごとの住所氏名などの個人情報をベースにした顧客データベースで管理しても、登録ユーザーの使用邸が変わったとき、該当ユーザーのデータ全てを新しい使用邸の後付け部品を含む邸付帯設備に一致させるべく書き換えられなければデータベースとしての意味がない。しかしながら、ユーザーが新しい使用邸の後付け部品を含む邸付帯設備の型番やサイズ、色などの情報を正確に把握した上で自ら自分のデータベースを更新することは極めて面倒なことであり、現実にはこのようなユーザー自身によるデータベースの更新を期待することはできない。従って、従来の顧客データベースを利用する邸付帯設備の管理システムでは、登録ユーザーの使用邸が変わることによって実際には所期の目的を達成できなくなる恐れがあった。
【課題を解決するための手段】
【０００５】
本発明は上記のような従来の問題点を解消し得る邸付帯設備の管理システムを提供することを目的とするものであって、その手段を後述する実施形態の参照符号を付して示すと、邸データベース７とユーザーデータベース８、及び邸付帯設備のための後付け部品のオンライン受発注システム１〜３を使用する邸付帯設備の管理システムであって、邸データベース７は、邸識別番号（邸ＩＤ）を含む邸情報、付帯設備情報、及び邸使用ユーザー情報を含み、ユーザーデータベース８は、ユーザー識別番号（ユーザーＩＤ）を含むユーザー情報と使用邸情報を含み、オンライン受発注システム１〜３は、前記後付け部品の発注のためのインターネット２上のユーザー発注サイト（ウエブサーバー１で提供される邸使用ユーザー発注ページ１１）を使用するもので、当該ユーザー発注サイトにおいて邸使用ユーザーがユーザー識別番号（ユーザーＩＤ）を入力することにより、当該ユーザー識別番号（ユーザーＩＤ）と一致する使用邸情報に基づき邸データベース７から検索されたユーザー使用邸の付帯設備のための後付け部品情報が表示され、この後付け部品情報表示画面から後付け部品を選定して発注入力することにより、ユーザー情報と邸情報の内の少なくとも一方、及び発注内容情報が受注事業者へ伝送され、発注内容情報に基づき邸データベース７の該当する付帯設備情報が更新される構成となっている。
【０００６】
上記構成の本発明を実施するについて、請求項２に記載のように、邸に対する付帯設備の施工を行うプロユーザーの管理のためのプロユーザーデータベース９を併用することができる。このプロユーザーデータベース９は、プロユーザー識別番号（プロユーザーＩＤ）を含むプロユーザー情報と施工対象邸情報とを含むものとし、オンライン受発注システムには、付帯設備の発注のためのインターネット２上のプロユーザー発注サイト（ウエブサーバー１で提供されるプロユーザー発注ページ１３）を併用し、当該プロユーザー発注サイトにおいてプロユーザーがプロユーザー識別番号（プロユーザーＩＤ）と施工対象邸の邸識別番号（邸ＩＤ）を入力することにより発注のための付帯設備情報を表示させ、この付帯設備情報表示画面から付帯設備を選定して発注入力することにより、プロユーザー情報、邸情報と邸使用ユーザー情報との内の少なくとも一方、及び発注内容情報が受注事業者へ伝送され、発注内容情報に基づき邸データベース７の付帯設備情報が更新されるように構成することができる。
【０００７】
又、請求項３に記載のように、邸データベース７の邸識別番号（邸ＩＤ）を含む邸情報と付帯設備情報は、最初に付帯設備が設置された邸に対して設定し、新規の邸使用ユーザー、即ち、邸データベース７に新規に登録された邸の最初のユーザー、または邸使用ユーザーが変更になったときの新ユーザー、若しくは現ユーザーと同一邸を共同使用することになった新ユーザーなど、がユーザー登録するためのインターネット２上のユーザー登録サイト（ウエブサーバー１で提供される邸使用ユーザー登録ページ１０）を併用し、当該ユーザー登録サイトにおいて、新規の邸使用ユーザーがユーザー情報と共に邸識別番号（邸ＩＤ）を入力することにより、ユーザーデータベース８に新規の邸使用ユーザーとして登録されるように構成することができる。
【０００８】
この場合、請求項４に記載のように、新規の邸使用ユーザーが邸識別番号（邸ＩＤ）を除く使用邸の情報に基づいて邸識別番号（邸ＩＤ）を問い合わせる邸識別番号問い合わせ回答システムを併用することができる。この邸識別番号問い合わせ回答システムは、電話利用のコールセンター５やインターネット利用のオンラインシステムとして実現できる。
【０００９】
更に、請求項５に記載のように、前記オンライン受発注システムにおいて、邸付帯設備の後付け部品以外の商品で邸使用ユーザーが引っ越しに際して移動させることができるユーザー付帯商品が取り扱われる場合、当該ユーザー付帯商品の発注内容情報は前記ユーザーデータベース８に加えられるように構成することができる。
【発明の効果】
【００１０】
上記構成の本発明に係る邸付帯設備の管理システムによれば、邸使用ユーザーがオンライン受発注システムのユーザー発注サイトにおいて、邸付帯設備の後付け部品の選定発注を行う際、ユーザー登録などによって予め設定付与されたユーザー識別番号を入力することにより、ユーザー使用邸の付帯設備情報が発注のための後付け部品情報と共に表示されるので、この後付け部品情報表示画面から後付け部品を選定して発注入力することにより、受注事業者へユーザー情報と邸情報の内の少なくとも一方、及び発注内容情報が伝送される。従って受注事業者は、ユーザー情報と邸情報の内の少なくとも一方から知り得る納品先に対し受注商品を発送納品することができ、邸使用ユーザーは発注商品を受け取って邸付帯設備に組み込むことができる。
【００１１】
即ち、本発明システムは、邸付帯設備を含む邸に関する情報を扱う邸データベースと邸使用ユーザー情報を扱うユーザーデータベースとに分けて管理するシステムであって、当該本発明システムを実行する場合、邸の新築時などにおいて邸付帯設備が業者によって邸に組み込まれたとき、その邸付帯設備に関する情報と邸識別番号を含む邸情報とを邸データベースに登録しておくと共に、当該邸の使用者となったユーザーが前記邸付帯設備のカタログや取扱説明書、或いはこれらに基づく電話やインターネットによる問い合わせなどにより邸識別番号を知ることができるようにしておき、そして邸の使用者となったユーザーが前記邸識別番号に基づいて葉書や電話、或いはインターネットなどによりユーザー登録することによりユーザー識別番号が発行されるようにしておけば良い。而して、当該ユーザー登録に基づき邸使用ユーザー情報を含む邸データベースとユーザーデータベースとが構築されるので、その後は、邸使用ユーザーが邸付帯設備に後付け部品を追加しようと思った時点で先に述べたようにオンライン受発注システムのユーザー発注サイトにユーザー識別番号をもってアクセスしさえすれば、ユーザー使用邸の付帯設備情報と後付け部品情報とが表示され、邸使用ユーザーは邸付帯設備に対し後付け可能な部品を簡単に選定し、オンライン発注することができるのである。
【００１２】
しかも、邸の譲渡などにより邸使用ユーザーが変わったときは、先の邸使用ユーザーからの引き継ぎや先の邸使用ユーザーと同様の方法などで知ることができる邸識別番号に基づいて新たにユーザー登録して、邸情報に関連付けされたユーザー情報を更新することにより、新しい邸使用ユーザーも先のユーザーと同様に、オンライン受発注システムのユーザー発注サイトから現在の後付け部品を含む邸付帯設備の情報を簡単に知ることができ、更に追加し得る後付け部品を容易に選定して発注することができる。又、邸付帯設備の後付け部品を販売するメーカーその他の事業者サイドから見ると、邸使用ユーザーに関係なく、取り扱う付帯設備を備えた邸をベースにしてアフターケア対象の邸付帯設備を恒久的に管理できる。従って、実際に邸を使用している現在のユーザーに対し、当該邸の付帯設備に適応した的確な営業活動を容易に推進できる。
【００１３】
尚、請求項２に記載の構成によれば、邸に対する付帯設備の施工を行うプロユーザーの管理もプロユーザーデータベースにより行うことができる。プロユーザーは、邸に対する付帯設備の施工を行う際に付帯設備メーカーなどから付与される邸識別番号を含めてプロユーザーデータベースに登録しておけば、以後は、付帯設備の発注のためのインターネット上のプロユーザー発注サイトを利用してオンラインで付帯設備を発注することができると共に、この発注内容情報に基づき邸データベースの付帯設備情報も更新される。従って、付帯設備メーカーなどが邸データベースの付帯設備情報を更新する手間が解消するだけでなく、付帯設備を設置したプロユーザーを邸使用ユーザーが邸識別番号を利用して知ることができるようにすることも容易であり、先に付帯設備を設置したプロユーザーに対し邸付帯設備自体の追加注文を発注することも容易に行える。
【００１４】
又、請求項３に記載の構成によれば、邸データベースに新規に登録された邸の最初のユーザー、または邸使用ユーザーが変更になったときの新ユーザー、若しくは現ユーザーと同一邸を共同使用することになった新ユーザーなどのユーザーデータベースに対するユーザー登録がオンラインで簡単容易に行える。この場合、請求項４に記載の構成によれば、新規の邸使用ユーザーがユーザー登録に際して必要な邸識別番号を知り得る状況になくとも、電話利用のコールセンターやインターネット利用のオンラインシステムなどから成る邸識別番号問い合わせ回答システムを利用して邸識別番号を簡単容易に知ることができ、新規の邸使用ユーザーのユーザー登録を遅滞なく実行させることができる。
【００１５】
更に、請求項５に記載の構成によれば、オンライン受発注システムにおいて、邸付帯設備の後付け部品以外の商品で邸使用ユーザーが引っ越しに際して移動させることができるユーザー付帯商品を取り扱えるようにすることができ、この場合、邸使用ユーザーが購入した当該ユーザー付帯商品の情報は、邸使用ユーザーに関連付けられた邸データベースの邸付帯設備情報とは切り離してユーザーデータベースのユーザー情報に加えるのであるから、邸使用ユーザーが引っ越しなどにより邸データベースから除外されるかまたは、他の邸識別番号の邸に移った場合でも、販売業者側はユーザー付帯商品をユーザーと関連づけて恒久的に管理することができる。
【発明を実施するための最良の形態】
【００１６】
以下に本発明の具体的実施例を添付図に基づいて説明すると、図１において、１はインターネット２に接続されたウエブサーバーであって、本発明システムの運営事業者（邸付帯設備およびその後付け部品のメーカーや販売業者などの本発明システムにおける受注事業者、若しくは当該事業者から委託を受けたウエブサイト運営業者など）が運営するウエブサイトを構築する。３はインターネット２に接続された邸使用ユーザーの端末（パーソナルコンピューターなど）であり、４はインターネット２に接続されたプロユーザー端末（パーソナルコンピューターなど）である。而して、前記ウエブサーバー１、インターネット２、及びユーザー端末３，４によって本発明システムにおけるオンライン受発注システムが構築される。５は本発明システムの運営事業者（上記参照）が運営するコールセンターであって、邸使用ユーザーやプロユーザーとの間の邸識別番号問い合わせ回答システムを電話回線を介して構築する。このコールセンター５の端末（パーソナルコンピューターなど）６は、ウエブサーバー１と直結されるかまたは、インターネット２を介して接続される。
【００１７】
ウエブサーバー１には、邸データベース７、邸使用ユーザーデータベース８、及びプロユーザーデータベース９が準備されている。邸データベース７は、図２のディスプレイ上の表示イメージで示すように、各邸に割り当てられた邸識別番号（以下、邸ＩＤという）ごとに分けて記録されるもので、各邸ごとの所在地や邸種別、邸規模などの邸情報と、邸に作り付けされた収納家具やシステムキッチンなどのメーカー製付帯設備の型番、名称、サイズ、カラー、初期取付部品、後付け部品追加履歴などの付帯設備情報、及び各邸ＩＤにリンクされた後述の邸使用ユーザーＩＤとプロユーザーＩＤなどから構成される。
【００１８】
邸使用ユーザーデータベース８は、図３のディスプレイ上の表示イメージで示すように、各邸使用ユーザーに割り当てられた邸使用ユーザー識別番号（以下、邸使用ユーザーＩＤという）ごとに分けて記録されるもので、各邸使用ユーザーごとの氏名、年齢、職業、家族構成などの邸使用ユーザー情報と、邸付帯設備に組み込まれる専用後付け部品ではなく邸使用ユーザーが引っ越しに際して移動させることができるユーザー付帯商品、例えば邸付帯設備である作り付け収納家具に載置される各種の装飾用置物やシステムキッチンに使用される各種備品、或いは各種の可搬家具などの型番、名称、サイズ、カラーなどのユーザー付帯商品情報、及び各邸使用ユーザーＩＤにリンクされた邸ＩＤとプロユーザーＩＤなどから構成される。
【００１９】
プロユーザーデータベース９は、図４のディスプレイ上の表示イメージで示すように、各プロユーザーに割り当てられたプロユーザー識別番号（以下、プロユーザーＩＤという）ごとに分けて記録されるもので、各プロユーザーごとの社名、代表者名、所在地、電話番号などのプロユーザー情報と購入付帯設備情報、及び施工先（邸ＩＤ）情報などから構成される。
【００２０】
ウエブサーバー１は、インターネット２上にウエブサイト（ホームページ）を開設する。このウエブサイトでは、図５に示すように邸使用ユーザー登録ページ１０、邸使用ユーザー発注ページ１１、プロユーザー登録ページ１２、及びプロユーザー発注ページ１３などがトップページから選択できるものである。
【００２１】
以下、本発明システムの使用方法と制御の流れについて説明すると、ユーザー登録系では、図６Ａに示すように邸付帯設備の施工業者であるプロユーザーは、インターネット２に接続されたプロユーザー端末４からウエブサイトのプロユーザー登録ページ１２にアクセスし、図４に示すプロユーザーデータベース９に必要なプロユーザー情報を入力してプロユーザー登録を行うことができる（Ｓ１）。このプロユーザー登録によってプロユーザーデータベース９が更新（新規登録）される（Ｓ２）と共に、登録したプロユーザーに対しプロユーザーＩＤが発行される（Ｓ３）。
【００２２】
又、図６Ｂに示すように邸使用ユーザーは、インターネット２に接続された邸使用ユーザー端末３からウエブサイトの邸使用ユーザー登録ページ１０にアクセスし、使用邸に付与されている邸ＩＤの他、図３に示す邸使用ユーザーデータベース８に必要な邸使用ユーザー情報を入力して邸使用ユーザー登録を行うことができる（Ｓ４）。この邸使用ユーザー登録によって邸使用ユーザーデータベース８が更新（新規登録）される（Ｓ５）と共に、登録した邸使用ユーザーに対し邸使用ユーザーＩＤが発行される（Ｓ６）。この邸使用ユーザー登録に際して入力が必要な邸ＩＤは、入居する邸に既に本発明システム対応の邸付帯設備が作り付けされている場合には、後述の通り既に設定されているので、邸付帯設備に添付の資料（カタログや取扱説明書など）の記載内容または当該邸付帯設備の据え付けを施工したプロユーザーからの通知、或いは転居した前邸使用ユーザーが存在するときは当該前邸使用ユーザーからの通知などから知ることができるが、これらの方法で知ることができないときは、邸付帯設備に添付の資料に記載されているコールセンター５に問い合わせることができる。即ち、邸の所在地や前記資料に記載されている邸付帯設備の型番などをコールセンター５に報告することにより、コールセンター５では、端末６からの邸データベース７に対する検索により条件が一致する邸ＩＤを検出し、これを邸使用ユーザーに知らせることができる。
【００２３】
新築または邸のリフォーム時に本発明システム対応の邸付帯設備を採用する登録済みプロユーザーは、図７Ａに示すようにインターネット２に接続されたプロユーザー端末４からウエブサイトのプロユーザー発注ページ１３にアクセスし（Ｓ７）、プロユーザーＩＤを入力する（Ｓ８）ことにより邸付帯設備一覧が表示される（Ｓ９）ので、当該邸付帯設備一覧から邸付帯設備の選定／発注を行うことができる（Ｓ１０）。この邸付帯設備の選定／発注に際して、施工対象邸の情報の入力が行われる。即ち、本発明システム対応の邸付帯設備が新規に据え付けられる邸（未登録邸）であるときは、当該邸の所在地の他、図２に示す邸データベース７に必要な邸情報が入力され、既に本発明システム対応の邸付帯設備が据え付けられている邸（登録済み邸）であるときは、その邸ＩＤが入力される。
【００２４】
プロユーザーによる邸付帯設備の選定／発注（Ｓ１０）により、その入力データはウエブサーバー１を経由して本発明システムの運営事業者（段落００１６参照）に適当な手段で送達され、図７Ｂに示すようにプロユーザーからの邸付帯設備の受注（Ｓ１１）となる。そしてこの受注時に受け取るデータ（プロユーザーによる邸付帯設備の選定／発注時に入力されたデータ）に基づき、次の処理（Ｓ１２）が行われる。即ち、受注商品の施工先が未登録邸であるときは邸ＩＤが発行され、この邸ＩＤがプロユーザーに対する受注商品の発送時などに通知されると共に邸データベース７に新規登録され、受注時に受け取るデータ中に邸ＩＤが含まれるときは当該データに基づいて邸データベース７の邸付帯設備情報が更新される。更に、プロユーザーデータベース９の購入付帯設備情報及び施工先（邸ＩＤ）情報が更新される。
【００２５】
邸使用ユーザーが使用邸に装備されている邸付帯設備の後付け部品を購入したいときは、図８に示すように、インターネット２に接続された邸使用ユーザー端末３からウエブサイトの邸使用ユーザー発注ページ１１にアクセスし（Ｓ１３）、邸使用ユーザーＩＤを入力（Ｓ１４）する。この結果、邸使用ユーザーデータベース８から該当する邸使用ユーザーにリンクされた邸ＩＤが検索され（Ｓ１５）、更にこの邸ＩＤに基づいて邸データベース７から該当する邸の邸付帯設備情報が検索され、該当邸に装備されている特定の邸付帯設備に対して後付け可能な部品一覧と他の取扱商品一覧とが表示される（Ｓ１６）。邸使用ユーザーはこの表示内容から後付け部品や他商品を選定して発注することができる（Ｓ１７，Ｓ１８）。
【００２６】
邸使用ユーザーによる後付け部品や他商品の選定／発注（Ｓ１７，Ｓ１８）が行われたときは、その発注データはウエブサーバー１を経由して本発明システムの運営事業者（段落００１６参照）に適当な手段で送達され、図７Ｂに示すように、邸使用ユーザーからの邸付帯設備用後付け部品の受注（Ｓ１９）または他商品の受注（Ｓ２１）となる。そして邸付帯設備用後付け部品の受注時には、邸データベース７の邸付帯設備情報が更新され（Ｓ２０）、他商品の受注時には、邸使用ユーザーデータベース８のユーザー付帯商品情報が更新される（Ｓ２２）。
【００２７】
プロユーザーの発注系での邸付帯設備一覧の表示（Ｓ９）や、邸使用ユーザーの発注系での邸付帯設備用後付け部品一覧及び他商品一覧の表示（Ｓ１６）を行うために、これら邸付帯設備／後付け部品／他商品に関する型番、サイズ、カラー、在庫数、その他のテキスト情報データベースや、このテキスト情報データベースにリンクされた邸付帯設備／後付け部品／他商品夫々の画像データベースなどが準備されており、一覧表示に際しては、各商品の画像とそのテキスト情報とを閲覧できるように構成され、各データベースは在庫数の変化などに応じて適時更新される。また、これら邸付帯設備一覧の表示画面や邸付帯設備用後付け部品一覧及び他商品一覧の表示画面からの発注方法としては、インターネット通販などで周知のシステム、即ち、購入商品を確定する手順と発注（購入）ボタンのクリックなどによる方法が採用できる。
【００２８】
尚、本発明システムにおける邸ＩＤ（邸識別番号）、邸使用ユーザーＩＤ（邸使用ユーザー識別番号）、及びプロユーザーＩＤ（プロユーザー識別番号）は、番号と表現しているが数字の組み合わせからなるものに限定されるものではなく、場合によっては、邸使用ユーザー識別番号やプロユーザー識別番号として、個人名や社名をそのまま使用できるようにし、必要に応じて別途パスワードを設定し、両方を組み合わせて使用するように構成することができる。
【００２９】
また、邸使用ユーザー発注ページ１１においては、後付け部品の発注だけでなく、邸付帯設備の修理や点検などをオンラインで依頼できるようにすれば、一層便利に活用できる。この場合、邸使用ユーザーの使用邸に対してリンクされているプロユーザーに修理や点検などの発注がオンラインまたは他の適当な方法で行われるように構成することができる。更に、邸使用ユーザー発注ページ１１に邸付帯設備一覧表示ページをリンクし、邸使用ユーザーが邸付帯設備一覧表示ページを選択して閲覧できるようにすると共に、当該邸付帯設備一覧表示ページにおいて邸使用ユーザーが邸付帯設備の追加発注を行えるように構成することもできる。この場合も、邸使用ユーザーの使用邸に対してリンクされているプロユーザーに邸付帯設備の追加設置の発注がオンラインまたは他の適当な方法で行われるように構成することができる。
【００３０】
本発明システムにおいて邸ＩＤ（邸識別番号）と表現している識別番号の実態は、１邸に対して据え付けられている１つまたは複数の付帯設備に対して付与された識別番号と考えることができる。何れにしても本発明システムにおいては、登録ユーザーごとに所有する邸付帯設備を管理するのではなく、邸付帯設備が不動産の一部であるという考えから、その所在地、即ち、移動しない邸をベースにして販売した邸付帯設備を管理している。従って、邸使用ユーザーの転居や１邸を使用するユーザー数の増減などに関係なく、販売した邸付帯設備を邸データベースにより的確に管理し、後付け部品の提供などのサービスに活用することができるのである。勿論、各邸には当該邸を使用するユーザーが存在し、後付け部品の提供などのサービスに関する対価の決済対象はこの邸使用ユーザーとなるのであるから、邸データベースとリンクさせた邸使用ユーザーデータベースにより、当該サービスに関する対価の決済も問題なく実行できるのである。また、邸使用ユーザーサイドから見ると、使用邸に装備されている邸付帯設備に対する後付け部品の追加発注などを、邸付帯設備のメーカーや販売店、その型番などを殆ど意識せずにオンラインで簡単容易に行えるのである。
【図面の簡単な説明】
【００３１】
【図１】本発明システム全体の構成を説明するブロック線図である。
【図２】邸データベースの内容をディスプレイ上の表示イメージで示すテーブルである。
【図３】邸使用ユーザーデータベースの内容をディスプレイ上の表示イメージで示すテーブルである。
【図４】プロユーザーデータベースの内容をディスプレイ上の表示イメージで示すテーブルである。
【図５】ウエブサイトのトップページから選択できる各ページの種別を説明する図である。
【図６】Ａ図はプロユーザー登録の手順を示すフローチャート、Ｂ図は邸使用ユーザー登録の手順を示すフローチャートである。
【図７】Ａ図はプロユーザーの発注系の流れを示すフローチャート、Ｂ図はプロユーザー及び邸使用ユーザーからの受注系のの流れを示すフローチャートである。
【図８】邸使用ユーザーの発注系の流れを示すフローチャートである。
【符号の説明】
【００３２】
１    ウエブサーバー
２    インターネット
３    邸使用ユーザー端末
４    プロユーザー端末
５    コールセンター
６    コールセンター端末
７    邸データベース
８    邸使用ユーザーデータベース
９    プロユーザーデータベース
１０    邸使用ユーザー登録ページ
１１    邸使用ユーザー発注ページ
１２    プロユーザー登録ページ
１３    プロユーザー発注ページ
【図１】
2005173786.tif 000003
【図２】
2005173786.tif 000004
【図３】
2005173786.tif 000005
【図４】
2005173786.tif 000006
【図５】
2005173786.tif 000007
【図６】
2005173786.tif 000008
【図７】
2005173786.tif 000009
【図８】
2005173786.tif 000010